(57)【要約】【課題】コンクリート躯体からの本体の抜け出しやボルトの緩みを防止することができると共に、あと施工アンカー打設後にボルト長の変更をすることが可能で施工の柔軟性に優れるあと施工アンカー器具を提供する。【解決手段】前部に拡開片３２を有する筒状の本体３と、内部に雌ねじ４２が形成され、少なくとも後端部が本体３に内装される略截頭錐形のコーン４と、本体３に挿通されてコーン４の雌ねじ４２に雄ねじ５１が螺合される取付ボルト５を備え、コーン４の雌ねじ４２の先端近傍に雌ねじ穴４１に部分的に突出する板ばね４４が設けられ、板ばね４４が取付ボルト５の雄ねじ５１の先端近傍に掛止されるあと施工アンカー器具１。【選択図】図３
2018080520.tif 000002
【特許請求の範囲】
【請求項１】
前部に拡開片を有する筒状の本体と、
内部に雌ねじが形成され、少なくとも後端部が前記本体に内装される略截頭錐形のコーンと、
前記本体に挿通されて前記コーンの前記雌ねじに雄ねじが螺合される取付ボルトとを備え、
前記コーンの前記雌ねじの先端近傍に、前記取付ボルトの前記雄ねじの先端近傍に掛止される弾性部材が設けられていることを特徴とするあと施工アンカー器具。
【請求項２】
前記弾性部材として前記コーンの雌ねじ穴に部分的に突出する板ばねが設けられていることを特徴とする請求項１記載のあと施工アンカー器具。
【請求項３】
前部に拡開片を有する筒状の本体と、
内部に雌ねじが形成され、少なくとも後端部が前記本体に内装される略截頭錐形のコーンとを備え、
前記コーンの前記雌ねじの先端近傍に、前記コーンの前記雌ねじに螺合される取付ボルトの雄ねじの先端近傍に掛止可能に弾性部材が設けられていることを特徴とするあと施工アンカー。
【請求項４】
前部に拡開片を有する筒状の本体と、
内部に雌ねじが形成され、少なくとも後端部が前記本体に内装される略截頭錐形のコーンと、
前記本体に挿通されて前記コーンの前記雌ねじに雄ねじが螺合される取付ボルトとを備え、
前記取付ボルトの前記雄ねじの先端側に、前記コーンの前記雌ねじの先端近傍に掛止される弾性部材が設けられていることを特徴とするあと施工アンカー器具。
【請求項５】
前記弾性部材として前記取付ボルトの前記雄ねじの先端側に前記雄ねじと略対応する外径を有し且つ前記雄ねじと同ピッチで螺旋状に巻回された弾性コイルが設けられていることを特徴とする請求項４記載のあと施工アンカー器具。
【請求項６】
前部に拡開片を有する筒状の本体と、内部に雌ねじが形成され、少なくとも後端部が前記本体に内装される略截頭錐形のコーンとから構成されるあと施工アンカーの前記雌ねじに、前記本体に挿通されて雄ねじが螺合される取付ボルトであって、
前記雄ねじの先端側に、前記コーンの前記雌ねじの先端近傍に掛止可能な弾性部材が設けられていることを特徴とする取付ボルト。
【請求項７】
請求項１又は２記載のあと施工アンカー器具が用いられたあと施工アンカー取付構造であって、
コンクリート躯体の穿孔内で、前記本体の前記拡開片に前記コーンが入り込んだ状態で前記拡開片が拡開されて、前記拡開片が前記穿孔の孔壁に食い込むように設けられ、
前記取付ボルトが前記本体に挿通されて前記雄ねじが前記コーンの前記雌ねじの先端近傍まで螺合され、
前記弾性部材が前記取付ボルトの前記雄ねじの先端近傍に掛止されるように設けられていると共に、
前記取付ボルトがナットに締め付けられて前記コンクリート躯体の表面側に引っ張られていることを特徴とするあと施工アンカー取付構造。
【請求項８】
請求項４又は５記載のあと施工アンカー器具が用いられたあと施工アンカー取付構造であって、
コンクリート躯体の穿孔内で、前記本体の前記拡開片に前記コーンが入り込んだ状態で前記拡開片が拡開されて、前記拡開片が前記穿孔の孔壁に食い込むように設けられ、
前記取付ボルトが前記本体に挿通されて前記雄ねじが前記コーンの前記雌ねじに螺合され、
前記取付ボルトの前記雄ねじの先端側の前記弾性部材が、前記コーンの前記雌ねじの先端近傍に掛止されるように設けられていると共に、
前記取付ボルトがナットに締め付けられて前記コンクリート躯体の表面側に引っ張られていることを特徴とするあと施工アンカー取付構造。
【発明の詳細な説明】
【技術分野】
【０００１】
本発明は、硬化したコンクリート躯体に後から穿孔し、その穿孔内に打設するあと施工アンカーに係り、特に拡開片を有する筒状の本体が略截頭錐形のコーンに打ち込まれて拡開片か拡開される本体打込み式のあと施工アンカー器具、あと施工アンカー及びあと施工アンカー取付構造に関する。
【背景技術】
【０００２】
従来、後部に雌ねじが形成され、前部に拡開片を有する筒状の本体と、略截頭錐形のコーンで構成される本体打込み式のあと施工アンカーが知られている（特許文献１、２参照）。本体打込み式のあと施工アンカー１００は、例えば図７（ａ）に示すように、筒状の本体１１０がコーン１２０に向かって打ち込まれて本体１１０の拡開片１１１が拡開され、拡開片１１１の拡開力でコンクリート躯体１６０に定着される。定着されたあと施工アンカー１００には、取付物１５０を取り付ける際に、ワッシャー１４０を介して本体１１０の雌ねじ１１２に取付ボルト１３０が螺合されて取り付けられる。
【０００３】
この種のあと施工アンカーは、実際に取付物を取付けるまではボルトの突出がないことから、ボルトの突出部分が作業の邪魔にならず作業性に優れる。また、先にあと施工アンカーをコンクリートに取り付けておき、定着したあと施工アンカーに任意の長さの取付ボルトを取り付けることができるという利点もある。
【先行技術文献】
【特許文献】
【０００４】
【特許文献１】特開２００４−２６３８４８号
【特許文献２】特開２００４−３６０１９８号
【発明の概要】
【発明が解決しようとする課題】
【０００５】
ところで、本体打込み式のあと施工アンカーは、施工が完全ではなかったり、使用環境が過酷で振動が多かったりした場合に、例えば図７（ｂ）のように、コーン１２０をコンクリート躯体１６０内に置いて本体１１０が抜け出してくる可能性や、図７（ｃ）のように、取付ボルト１３０の雌ねじ１１２への螺合が緩んで取付ボルト１３０が抜け出てくる可能性があるのではないかと不安を生じさせ、使用が避けられることがある。
【０００６】
斯様な問題に対処できるものとして、スリーブ打込み式の雄ねじタイプのあと施工アンカーがある。図８（ａ）にスリーブ打込み式の雄ねじタイプのあと施工アンカーの例を示す。このスリーブ打込み式の雄ねじタイプのあと施工アンカー２００は、前部にテーパー部２１１、後部に雄ねじ部２１２が形成されているテーパーボルト２１０と、前部に拡開片２２１が設けられているスリーブ２２０で構成され、スリーブ２２０がテーパー部２１１に向かって打ち込まれて拡開片２２１が拡開されてコンクリート躯体２５０に定着されている。コンクリート躯体２５０から突出したテーパーボルト２１０の雄ねじ部２１２には、例えば取付物２４０、ワッシャー２３１、スプリングワッシャー２３２が外挿され、その外側から雄ねじ部２１２にナット２３３が螺合されて取付物２４０が取り付けられる。このスリーブ打込み式の雄ねじタイプのあと施工アンカー２００では、ナット２３３が締め付けられている限り、常にテーパーボルト２１０のテーパー部２１１がスリーブ２２１０の拡開片２２１を拡開するように付勢するので、テーパーボルト２１０やスリーブ２２０の脱落を防止することが可能である。
【０００７】
しかしながら、スリーブ打込み式の雄ねじタイプのあと施工アンカー２００は、スリーブ２２０をテーパーボルト２１０のテーパー部２１１に打ち込んで拡開片２２１を拡開させて定着するものであるから、あと施工アンカーの打設後にボルト長の変更をすることはできず、施工の柔軟性に劣るという問題がある。また、あと施工アンカー２００では、前部にテーパー部２１１、後部に雄ねじ部２１２が形成されているテーパーボルト２１０で取付物２４０を取り付けるため、取付物の厚さが変わった場合には異なる長さのテーパーボルトが必要となるが（図８（ｂ）参照）、特殊な形状で高価なテーパーボルトを多様な長さで準備する必要が生じ、経済性に劣るという問題もある。
【０００８】
本発明は上記課題に鑑み提案するものであって、コンクリート躯体からの本体の抜け出しやボルトの緩みを防止することができると共に、あと施工アンカー打設後にボルト長の変更をすることが可能で施工の柔軟性に優れるあと施工アンカー器具、あと施工アンカー及びあと施工アンカー取付構造を提供することを目的とする。
【課題を解決するための手段】
【０００９】
本発明のあと施工アンカー器具は、前部に拡開片を有する筒状の本体と、内部に雌ねじが形成され、少なくとも後端部が前記本体に内装される略截頭錐形のコーンと、前記本体に挿通されて前記コーンの前記雌ねじに雄ねじが螺合される取付ボルトとを備え、前記コーンの前記雌ねじの先端近傍に、前記取付ボルトの前記雄ねじの先端近傍に掛止される弾性部材が設けられていることを特徴とする。
これによれば、コーンの雌ねじの先端近傍の弾性部材を取付ボルトの雄ねじの先端近傍に掛止することが可能となり、弾性部材の掛止でコンクリート躯体からの本体の抜け出しやボルトの緩みを防止することができる。また、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。また、特殊な形状で高価なテーパーボルトを多様な長さで準備する必要がなく、経済性にも優れる。また、コーンの雌ねじの先端近傍に弾性部材を設けることにより、取付ボルトの雄ねじのコーンの雌ねじに対するスムーズな螺合を確保することができる。
【００１０】
本発明のあと施工アンカー器具は、前記弾性部材として前記コーンの雌ねじ穴に部分的に突出する板ばねが設けられていることを特徴とする。
これによれば、簡単な構造で且つ低コストに取付ボルトの雄ねじに掛止する弾性部材を得ることができる。また、取付ボルトの雄ねじのねじ山が板ばねに引っ掛かると、締付トルクが大きく変化するため、作業者は取付ボルトの所定の締付作業を確実に行ったことを容易に認識することが可能となる。
【００１１】
本発明のあと施工アンカーは、前部に拡開片を有する筒状の本体と、内部に雌ねじが形成され、少なくとも後端部が前記本体に内装される略截頭錐形のコーンとを備え、前記コーンの前記雌ねじの先端近傍に、前記コーンの前記雌ねじに螺合される取付ボルトの雄ねじの先端近傍に掛止可能に弾性部材が設けられていることを特徴とする。
これによれば、コーンの雌ねじの先端近傍の弾性部材を取付ボルトの雄ねじの先端近傍に掛止することが可能となり、弾性部材の掛止でコンクリート躯体からの本体の抜け出しやボルトの緩みを防止することができる。また、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。また、特殊な形状で高価なテーパーボルトを多様な長さで準備する必要がなく、経済性にも優れる。また、コーンの雌ねじの先端近傍に弾性部材を設けることにより、取付ボルトの雄ねじのコーンの雌ねじに対するスムーズな螺合を確保することができる。
【００１２】
本発明のあと施工アンカー器具は、前部に拡開片を有する筒状の本体と、内部に雌ねじが形成され、少なくとも後端部が前記本体に内装される略截頭錐形のコーンと、前記本体に挿通されて前記コーンの前記雌ねじに雄ねじが螺合される取付ボルトとを備え、前記取付ボルトの前記雄ねじの先端側に、前記コーンの前記雌ねじの先端近傍に掛止される弾性部材が設けられていることを特徴とする。
これによれば、取付ボルトの雄ねじの先端側の弾性部材をコーンの雌ねじの先端近傍に掛止することが可能となり、弾性部材の掛止でコンクリート躯体からの本体の抜け出しやボルトの緩みを防止することができる。また、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。
【００１３】
本発明のあと施工アンカー器具は、前記弾性部材として前記取付ボルトの前記雄ねじの先端側に前記雄ねじと略対応する外径を有し且つ前記雄ねじと同ピッチで螺旋状に巻回された弾性コイルが設けられていることを特徴とする。
これによれば、簡単な構造で且つ低コストにコーンの雌ねじのねじ山に引っ掛けられる弾性部材を得ることができる。また、雄ねじと略対応する外径を有し且つ雄ねじと同ピッチで螺旋状に巻回された弾性コイルとすることにより、取付ボルトの弾性部材の箇所でもコーンの雌ねじへのスムーズな螺合を確保することができる。
【００１４】
本発明の取付ボルトは、前部に拡開片を有する筒状の本体と、内部に雌ねじが形成され、少なくとも後端部が前記本体に内装される略截頭錐形のコーンとから構成されるあと施工アンカーの前記雌ねじに、前記本体に挿通されて雄ねじが螺合される取付ボルトであって、前記雄ねじの先端側に、前記コーンの前記雌ねじの先端近傍に掛止可能な弾性部材が設けられていることを特徴とする。
これによれば、取付ボルトの雄ねじの先端側の弾性部材をコーンの雌ねじの先端近傍に掛止することが可能となり、弾性部材の掛止でコンクリート躯体からの本体の抜け出しやボルトの緩みを防止することができる。また、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。
【００１５】
本発明のあと施工アンカー取付構造は、本発明のあと施工アンカー器具が用いられたあと施工アンカー取付構造であって、コンクリート躯体の穿孔内で、前記本体の前記拡開片に前記コーンが入り込んだ状態で前記拡開片が拡開されて、前記拡開片が前記穿孔の孔壁に食い込むように設けられ、前記取付ボルトが前記本体に挿通されて前記雄ねじが前記コーンの前記雌ねじの先端近傍まで螺合され、前記弾性部材が前記取付ボルトの前記雄ねじの先端近傍に掛止されるように設けられていると共に、前記取付ボルトがナットに締め付けられて前記コンクリート躯体の表面側に引っ張られていることを特徴とする。
これによれば、コーンの雌ねじの先端近傍の弾性部材を取付ボルトの雄ねじの先端近傍に掛止する構造により、弾性部材の掛止でコンクリート躯体からの本体の抜け出しやボルトの緩みを防止することができる。また、この構造では、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。また、特殊な形状で高価なテーパーボルトを多様な長さで準備する必要がなく、経済性にも優れる。また、コーンの雌ねじの先端近傍に弾性部材が位置する構造により、取付ボルトの雄ねじのコーンの雌ねじに対するスムーズな螺合を確保することができる。また、コーンの雌ねじの先端近傍まで螺合される取付ボルトがコンクリート躯体の表面側に引っ張られることにより、拡開片に追加の拡張力、コンクリート躯体への追加の定着力を得ることができ、あと施工アンカー器具をより強固に安定してコンクリート躯体に定着させることができる。
【００１６】
本発明のあと施工アンカー取付構造は、本発明のあと施工アンカー器具が用いられたあと施工アンカー取付構造であって、コンクリート躯体の穿孔内で、前記本体の前記拡開片に前記コーンが入り込んだ状態で前記拡開片が拡開されて、前記拡開片が前記穿孔の孔壁に食い込むように設けられ、前記取付ボルトが前記本体に挿通されて前記雄ねじが前記コーンの前記雌ねじに螺合され、前記取付ボルトの前記雄ねじの先端側の前記弾性部材が、前記コーンの前記雌ねじの先端近傍に掛止されるように設けられていると共に、前記取付ボルトがナットに締め付けられて前記コンクリート躯体の表面側に引っ張られていることを特徴とする。
これによれば、取付ボルトの雄ねじの先端側の弾性部材をコーンの雌ねじの先端近傍に掛止する構造により、弾性部材の掛止でコンクリート躯体からの本体の抜け出しやボルトの緩みを防止することができる。また、この構造では、本体を打ち込んで拡開片を拡開させ、コンクリート躯体に本体とコーンを設置した後に、換言すれば本体打込み式のあと施工アンカーの打設後に所要の長さの取付ボルトを螺合して取り付けることができる。即ち、あと施工アンカー打設後にボルト長を変更することが容易となり、施工の柔軟性を高めることができる。また、コーンの雌ねじの先端近傍まで螺合される取付ボルトがコンクリート躯体の表面側に引っ張られることにより、拡開片に追加の拡張力、コンクリート躯体への追加の定着力を得ることができ、あと施工アンカー器具をより強固に安定してコンクリート躯体に定着させることができる。
【発明の効果】
【００１７】
本発明によれば、コンクリート躯体からの本体の抜け出しやボルトの緩みを防止することができると共に、あと施工アンカー打設後にボルト長を変更することが容易となり、施工の柔軟性を高めることができる。
【図面の簡単な説明】
【００１８】
【図１】（ａ）は本発明による第１実施形態のあと施工アンカーの斜視図、（ｂ）は第１実施形態のあと施工アンカーの拡開状態の斜視図。
【図２】（ａ）は第１実施形態のあと施工アンカーの正面図、（ｂ）は同図（ａ）の右側面図、（ｃ）は第１実施形態のあと施工アンカーの分解状態の正面図、（ｄ）は同図（ｃ）のコーンの右側面図、（ｅ）は第１実施形態のあと施工アンカーの拡開状態の正面図、（ｆ）は同図（ｅ）の右側面図。
【図３】（ａ）は第１実施形態のあと施工アンカーをコンクリート躯体に打ち込んだ状態の縦断説明図、（ｂ）は第１実施形態のあと施工アンカー器具をコンクリート躯体に取り付けた状態の縦断説明図。
【図４】（ａ）〜（ｅ）は第１実施形態のあと施工アンカー取付構造の施工手順を示す縦断説明図。
【図５】（ａ）は本発明による第２実施形態のあと施工アンカー器具の分解正面図、（ｂ）は第２実施形態のあと施工アンカーと取付ボルトの一部縦断説明図、（ｃ）は第２実施形態のあと施工アンカー器具をコンクリート躯体に取り付けた状態の縦断説明図。
【図６】（ａ）、（ｂ）は第２実施形態のあと施工アンカー器具の取付ボルトにおける弾性コイルの取付構造を説明する斜視説明図。
【図７】（ａ）は従来の本体打込み式のあと施工アンカーをコンクリート躯体に打ち込んだ状態の一部縦断正面図、（ｂ）は従来の本体打込み式のあと施工アンカーの本体が抜け出てくる状態の一部縦断正面図、（ｃ）は従来の本体打込み式のあと施工アンカーの取付ボルトが緩んできた状態の一部縦断正面図。
【図８】（ａ）は従来のスリーブ打込み式の雄ねじタイプのあと施工アンカーをコンクリート躯体に取り付けた状態の一部縦断正面図、（ｂ）は同図（ａ）のあと施工アンカーに対して取付物の厚さが厚くなった場合を説明する一部縦断正面図。
【発明を実施するための形態】
【００１９】
〔第１実施形態のあと施工アンカー器具、あと施工アンカー及びあと施工アンカー取付構造〕
本発明による第１実施形態のあと施工アンカー器具１は、図１〜図３に示すように、筒状の本体３と略截頭錐形のコーン４とから構成されるあと施工アンカー２と、取付ボルト５を備える。あと施工アンカー２は金属製の本体打込み式のアンカーである。
【００２０】
第１実施形態の筒状の本体３は、金属で一体形成された略円筒状であり、その前部に先端から途中までスリット３１が切り込まれており、スリット３１で分割された拡開片３２が設けられている。図示例では、軸方向に延びるスリット３１が周方向に離間して４か所形成され、スリット３１・３１間が拡開片３２になっている。拡開片３２の外周面はコンクリートとの摩擦力を高めるために軸方向に凹凸が繰り返す凹凸面になっている。
【００２１】
第１実施形態のコーン４は、金属で一体形成された略截頭円錐形であり、前方に向かって漸次拡径している。コーン４には、内部に軸方向に延びる雌ねじ穴４１が貫通して設けられ、雌ねじ穴４１の前端近傍から後端近傍の位置まで雌ねじ４２が形成されている。雌ねじ４２の先端近傍の雌ねじ穴４１には、雌ねじ穴４１の内周面から外側に向かい且つ周方向に延びるように嵌込溝４３が形成され、嵌込溝４３に弾性部材である板ばね４４が嵌め込まれて固定されている。
【００２２】
板ばね４４は、弧状の形状を有し、コーン４の雌ねじ穴４１に部分的に突出するように設けられ、その先端が雌ねじ４２のねじ山よりも僅かに内側に突出するように設けられており、後述する取付ボルト５の雄ねじ５１の先端近傍のねじ山に引掛可能に設置されている。図示例の板ばね４４は、円周の約１／４の長さを有する弧状であり、対向する位置に一対の板ばね４４・４４が配置されている。
【００２３】
コーン４は、流通時等の通常の状態では、その後端部だけが本体３の前端部に内装されてあと施工アンカー２を構成しており、この状態では、拡開片３２は非拡開状態で本体３は全長に亘って略円筒状になっている（図２（ａ）参照）。本体３の拡開片３２を拡開状態にする際には、コーン４の漸次拡径する前方に向かって本体３を打ち込み、本体３の拡開片３２の内部にコーン４を相対的に圧入し、コーン４が入り込んだ状態で拡開片３２が拡開される。
【００２４】
あと施工アンカー器具１では、あと施工アンカー２のコーン４に取付ボルト５が螺合される（図３（ｂ）参照）。本実施形態の取付ボルト５は全ねじボルトであり、全長に亘って外周に雄ねじ５１が形成されている。取付ボルト５は、あと施工アンカー２が流通時等の非拡開状態である場合には、あと施工アンカー２とは別体となっており、あと施工アンカー２の拡開片３２が拡開状態になった場合に、後方から筒状の本体３に挿通され、拡開片３２の内部に入り込んだコーン４の雌ねじ４２に雄ねじ５１が螺合される。あと施工アンカー２が拡開状態で取付ボルト５の雄ねじ５１の先端が板ばね４４よりも先まで螺合された状態では、コーン４の雌ねじ４２の先端近傍に設けられる弾性部材である板ばね４４が、取付ボルト５の雄ねじ５１の先端近傍のねじ山に引っ掛かり、雄ねじ５１の先端近傍に掛止されるように設置される。
【００２５】
第１実施形態のあと施工アンカー取付構造では、図３に示すように、コンクリート躯体８の穿孔８１内で、本体３の拡開片３２にコーン４が入り込んだ状態で拡開片３２が拡開され、拡開片３２が穿孔８１の孔壁に食い込むように設けられる。そして、取付ボルト５が本体３に挿通されて取付ボルト５の雄ねじ５１の先端がコーン４の雌ねじ４２の先端より先に位置するまで螺合され、弾性部材に相当する板ばね４４が取付ボルト５の雄ねじ５１の先端近傍のねじ山に引っ掛かるようにして設けられる。
【００２６】
コンクリート躯体８から突出する取付ボルト５に取付物７を取り付けた状態では、取付物７が取付ボルト５の突出部分に外挿され、その外側に例えばワッシャー６１、スプリングワッシャー６２が取付ボルト５の突出部分に順に外挿され、その外側でナット６３が取付ボルト５の雄ねじ５１に螺合される。取付物７は、締め付けられたナット６３により、コンクリート躯体８に固定して取り付けられる。
【００２７】
第１実施形態のあと施工アンカー取付構造を施工する際には、図４（ａ）、（ｂ）に示すように、コンクリート躯体８に穿孔８１を形成し、穿孔８１内の清掃後にあと施工アンカー２をコーン４の前側から穿孔８１内に挿入する。穿孔８１の深さは拡開状態のあと施工アンカー２の長さとほぼ対応する深さとなっており、この時点では穿孔８１に挿入したあと施工アンカー２の本体３の一部がコンクリート躯体８から外に突出した状態になっている。
【００２８】
その後、図４（ｃ）のように、専用の打込み棒９１をハンマー９２で打ち込んで筒状の本体３を穿孔８１の孔奥に向かって打ち込み、コーン４を本体３の拡開片３２内に相対的に圧入させ、拡開片３２の内部に前方に向かって漸次拡径するコーン４を入り込ませて拡開片３２を拡開する。拡開した拡開片３２は穿孔８１の壁面に楔状に食い込むようにして摩擦定着し、一次的な定着が行われる（図４（ｃ）の太線矢印の拡張力Ｆ１参照）。
【００２９】
その後、図４（ｄ）、（ｅ）のように、コンクリート躯体８の表面に取付物７を配置し、取付物７の穴に挿入するようにして取付ボルト５を本体３に挿入する。そして、本体３に挿入した取付ボルト５の雄ねじ５１を拡開片３２の内部に入り込んだコーン４の雌ねじ４２に螺合し、取付ボルト５の雄ねじ５１の先端がコーン４の雌ねじ４２の先端より先の位置になるまで螺合し、取付ボルト５の雄ねじ５１の先端近傍のねじ山をコーン４の板ばね４４に引っ掛ける。取付ボルト５の雄ねじ５１の先端近傍のねじ山が板ばね４４に引っ掛かると、締付トルクが大きく変化するため、作業者は取付ボルト５の所定の締付作業を確実に行うことができる。
【００３０】
更に、所定の締付を行った取付ボルト５のコンクリート躯体８からの突出部分に、取付物７の外側からワッシャー６１、スプリングワッシャー６２を外挿し、その外側からナット６３を取付ボルト５の雄ねじ５１に螺合する。そして、ナット６３でスプリングワッシャー６２、ワッシャー６１、取付物７をコンクリート躯体８の表面に押圧して付勢するまで締め付けを行い、取付物７の取り付けが完了する。この状態において、板ばね４４で緩み止めされた取付ボルト５は、ナット６３の所定の締め付けによりコンクリート躯体８の表面側に引っ張られ、コーン４を先端から軸方向に引張力Ｐで引っ張り、拡開片３２に追加の拡張力Ｆ２を発生させる。このように取付ボルト５に引抜方向の力が働いた場合にはコーン４が本体３の拡開片３２を拡開させる方向に力が作用する構造であるため、取付ボルト５に引抜方向の力が生じても本体３の抜け出しや取付ボルト５の緩みの心配がない。
【００３１】
第１実施形態によれば、コーン４の雌ねじ４２の先端近傍の板ばね４４を取付ボルト５の雄ねじ５１の先端近傍に掛止する構造により、コンクリート躯体８からの本体３の抜け出しや取付ボルト５の緩みを防止することができる。また、本体３を打ち込んで拡開片３２を拡開させ、コンクリート躯体８に本体３とコーン４を設置した後に、換言すれば本体打込み式のあと施工アンカー２の打設後に所要の長さの取付ボルト５を螺合して取り付けることができる。即ち、あと施工アンカー打設後にボルト長を変更することが容易となり、施工の柔軟性を高めることができる。また、特殊な形状で高価なテーパーボルトを多様な長さで準備する必要がなく、経済性にも優れる。
【００３２】
また、コーン４の雌ねじ４２の先端近傍に板ばね４４が位置する構造により、雄ねじ５１が先端近傍の板ばね４４まで板ばね４４に引っ掛かることがないから、取付ボルト５の雄ねじ５１のコーン４の雌ねじ４２に対するスムーズな螺合を確保することができる。また、コーン４の雌ねじ４２の先端近傍まで螺合される取付ボルト５がコンクリート躯体８の表面側に引っ張られることにより、拡開片３２に追加の拡張力、コンクリート躯体８への追加の定着力を得ることができ、あと施工アンカー器具１をより強固に安定してコンクリート躯体８に定着させることができる。
【００３３】
また、取付ボルト５の雄ねじ５１に掛止する弾性部材をコーン４の雌ねじ穴４１に部分的に突出する板ばね４４とすることにより、簡単な構造で且つ低コストに取付ボルト５の雄ねじ５１に掛止する弾性部材を得ることができる。また、取付ボルト５の雄ねじ５１のねじ山が板ばね４４に引っ掛かると、締付トルクが大きく変化するため、作業者は取付ボルト５の所定の締付作業を確実に行ったことを容易に認識することが可能となる。
【００３４】
〔第２実施形態のあと施工アンカー器具、あと施工アンカー及びあと施工アンカー取付構造〕
本発明による第２実施形態のあと施工アンカー器具１ａは、図５に示すように、筒状の本体３ａと略截頭錐形のコーン４ａとから構成されるあと施工アンカー２ａと、取付ボルト５ａを備える。あと施工アンカー２ａは金属製の本体打込み式のアンカーである。
【００３５】
筒状の本体３ａは、第１実施形態の本体３と同一構成であり、スリット３１ａで分割された拡開片３２ａが前部に設けられ、拡開片３２ａの外周面がコンクリートとの摩擦力を高めるために軸方向に凹凸が繰り返す凹凸面になっている。
【００３６】
コーン４ａは、金属で一体形成された略截頭円錐形であり、前方に向かって漸次拡径している。コーン４ａには、内部に軸方向に延びる雌ねじ穴４１ａが貫通して設けられ、雌ねじ穴４１ａの前端から後端まで雌ねじ４２ａが形成されている。第２実施形態のコーン４ａには、第１実施形態のコーン４のような嵌込溝や板ばねは設けられていない。
【００３７】
コーン４ａは、流通時等の通常の状態では、その後端部だけが本体３ａの前端部に内装されてあと施工アンカー２ａを構成しており、この状態では、拡開片３２ａは非拡開状態で本体３ａは全長に亘って略円筒状になっている。本体３ａの拡開片３２ａを拡開状態にする際には、コーン４ａの漸次拡径する前方に向かって本体３ａを打ち込み、本体３ａの拡開片３２ａの内部にコーン４ａを相対的に圧入し、コーン４ａが入り込んだ状態で拡開片３２ａが拡開される。
【００３８】
あと施工アンカー器具１ａでは、あと施工アンカー２ａのコーン４ａに取付ボルト５ａが螺合される。第２実施形態の取付ボルト５ａには、前端部以外の後端から全長に亘る外周に雄ねじ５１ａが形成されている。取付ボルト５ａの前端部には、雄ねじ５１ａの形成領域よりも小径で前側に突出する小径部５２ａが設けられており、小径部５２ａの先端にコイル保持溝５３ａが形成されている。コイル保持溝５３ａには弾性コイル５４ａのコイル保持溝５３ａの形状に倣う形状で先端側に形成されている保持部５４１ａが嵌め込まれて係止され、取付ボルト５ａの雄ねじ５１ａの先端側で小径部５２ａの外周に弾性コイル５４ａが設けられる（図６参照）。弾性コイル５４ａは、雄ねじ５１ａと略対応する外径を有し、且つ雄ねじ５１ａと同ピッチで螺旋状に巻回されている。弾性コイル５４ａは、雄ねじ５１ａの先端側に、コーン４ａの雌ねじ４２ａの先端近傍に掛止可能な弾性部材に相当する。
【００３９】
取付ボルト５ａは、あと施工アンカー２ａが流通時等の非拡開状態である場合には、あと施工アンカー２ａとは別体となっており、あと施工アンカー２ａの拡開片３２ａが拡開状態になった場合に、後方から筒状の本体３ａに挿通され、拡開片３２ａの内部に入り込んだコーン４ａの雌ねじ４２ａに弾性コイル５４ａとそれに続く雄ねじ５１ａが螺合される。雌ねじ４２ａに取付ボルト５ａの弾性コイル５４ａを螺合する際には、弾性コイル５４ａの保持部５４１ａがコイル保持溝５３ａに保持されたまま弾性コイル５４ａの径が縮みながら螺入される。そして、あと施工アンカー２ａが拡開状態で取付ボルト５ａの弾性コイル５４ａがコーン４ａの雌ねじ４２ａの先端近傍まで螺合された状態では、弾性コイル５４ａが放射方向外側に付勢され、弾性コイル５４ａが雌ねじ４２ａに付勢で掛止されることにより、取付ボルト５ａの緩み止めがなされる。
【００４０】
第２実施形態のあと施工アンカー取付構造でも、コンクリート躯体８ａの穿孔８１ａ内で、本体３ａの拡開片３２ａにコーン４ａが入り込んだ状態で拡開片３２ａが拡開され、拡開片３２ａが穿孔８１ａの孔壁に食い込むように設けられる。そして、取付ボルト５ａが本体３ａに挿通されて取付ボルト５ａの弾性コイル５４ａ及びこれに続く雄ねじ５１ａがコーン４ａの雌ねじ４２ａの先端近傍まで螺合され、雄ねじ５１ａの先端側の弾性コイル５４ａがコーン４ａの雌ねじ４２ａの先端近傍に掛止される。
【００４１】
コンクリート躯体８ａから突出する取付ボルト５ａに取付物７ａを取り付けた状態では、取付物７ａが取付ボルト５ａの突出部分に外挿され、その外側に例えばワッシャー６１ａ、スプリングワッシャー６２ａが取付ボルト５ａの突出部分に順に外挿され、その外側でナット６３ａが取付ボルト５ａの雄ねじ５１ａに螺合される。取付物７ａは、締め付けられたナット６３ａにより、コンクリート躯体８ａに固定して取り付けられる。
【００４２】
第２実施形態のあと施工アンカー取付構造を施工する際には、第１実施形態の図４（ａ）〜（ｃ）と同様の手順であと施工アンカー２ａの一次的な定着を行った後、コンクリート躯体８ａの表面に取付物７ａを配置し、取付物７ａの穴に挿入するようにして取付ボルト５ａを本体３ａに挿入する。そして、本体３ａに挿入した取付ボルト５ａの弾性コイル５４ａ及びこれに続く雄ねじ５１ａを拡開片３２ａの内部に入り込んだコーン４ａの雌ねじ４２ａに螺合し、弾性コイル５４ａがコーン４ａの雌ねじ４２ａの先端近傍に位置するまで螺合し、弾性コイル５４ａをコーン４ａの雌ねじ４２ａの先端近傍に弾性の付勢によって掛止する。
【００４３】
更に、所定の締付を行った取付ボルト５ａのコンクリート躯体８ａからの突出部分に、取付物７ａの外側からワッシャー６１ａ、スプリングワッシャー６２ａを外挿し、その外側からナット６３ａを取付ボルト５ａの雄ねじ５１ａに螺合する。そして、ナット６３ａでスプリングワッシャー６２ａ、ワッシャー６１ａ、取付物７ａをコンクリート躯体８ａの表面に押圧して付勢するまで締め付けを行い、取付物７ａの取り付けが完了する。この状態において、第１実施形態と同様に、取付ボルト５ａは、ナット６３ａの所定の締め付けによりコンクリート躯体８ａの表面側に引っ張られ、コーン４ａを先端から軸方向に引っ張り、拡開片３２ａに追加の拡張力を発生させる。
【００４４】
第２実施形態によれば、取付ボルト５ａの雄ねじ５１ａの先端側の弾性コイル５４ａをコーン４ａの雌ねじ４２ａの先端近傍に掛止する構造により、弾性コイル５４ａの掛止でコンクリート躯体８ａからの本体３ａの抜け出しや取付ボルト５ａの緩みを防止することができる。また、本体３ａを打ち込んで拡開片３２ａを拡開させ、コンクリート躯体８ａに本体３ａとコーン４ａを設置した後に、換言すれば本体打込み式のあと施工アンカー２ａの打設後に所要の長さの取付ボルト５ａを螺合して取り付けることができる。即ち、あと施工アンカー打設後にボルト長を変更することが容易となり、施工の柔軟性を高めることができる。
【００４５】
また、コーン４ａの雌ねじ４２ａの先端近傍まで螺合される取付ボルト５ａがコンクリート躯体８ａの表面側に引っ張られることにより、拡開片３２ａに追加の拡張力、コンクリート躯体８ａへの追加の定着力を得ることができ、あと施工アンカー器具１ａをより強固に安定してコンクリート躯体８ａに定着させることができる。
【００４６】
また、弾性部材を弾性コイル５４ａとすることにより、簡単な構造で且つ低コストにコーン４ａの雌ねじ４２ａに掛止する弾性部材を得ることができる。また、雄ねじ５１ａと略対応する外径を有し且つ雄ねじ５１ａと同ピッチで螺旋状に巻回された弾性コイル５４ａとすることにより、取付ボルト５ａの弾性部材の箇所でもコーン４ａの雌ねじ４２ａへのスムーズな螺合を確保することができる。
【００４７】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００４８】
本発明におけるコーンの雌ねじの先端近傍に設けられ、取付ボルトの雄ねじの先端近傍に掛止される弾性部材は、第１実施形態の板ばね４４以外にも本発明の趣旨の範囲内で適宜であり、例えばコーンの雌ねじの先端側の雌ねじ穴に弾性コイルの収容部を形成し、この収容部に弾性部材として弾性コイルを収容し、収容した弾性コイルが取付ボルトの雄ねじの先端近傍に掛止される構成等とすることが可能である。
【００４９】
また、本発明における取付ボルトの雄ねじの先端側に設けられ、コーンの雌ねじの先端近傍に掛止される弾性部材も、第２実施形態のコイル保持溝５３ａに保持部５４１ａが嵌め込まれて係止される弾性コイル５４ａ以外にも本発明の趣旨の範囲内で適宜である。
【００５０】
また、本発明における筒状の本体には、円筒状の本体以外にも角筒状等の本体も含まれ、又、本発明における略截頭錐形のコーンには、略截頭円錐形のコーン以外にも略截頭角錐形等のコーンも含まれる。
【産業上の利用可能性】
【００５１】
本発明は、例えば取付板、支持具等の各種の取付物をコンクリート躯体に取り付ける際に利用することができる。
【符号の説明】
【００５２】
１、１ａ…あと施工アンカー器具  ２、２ａ…あと施工アンカー  ３、３ａ…本体  ３１、３１ａ…スリット  ３２、３２ａ…拡開片  ４、４ａ…コーン  ４１、４１ａ…雌ねじ穴  ４２、４２ａ…雌ねじ  ４３…嵌込溝  ４４…板ばね  ５、５ａ…取付ボルト  ５１、５１ａ…雄ねじ  ５２ａ…小径部  ５３ａ…コイル保持溝  ５４ａ…弾性コイル  ５４１ａ…保持部  ６１、６１ａ…ワッシャー  ６２、６２ａ…スプリングワッシャー  ６３、６３ａ…ナット  ７、７ａ…取付物  ８、８ａ…コンクリート躯体  ８１、８１ａ…穿孔  ９１…打込み棒  ９２…ハンマー  Ｆ１…拡張力  Ｆ２…追加の拡張力  Ｐ…引張力  １００…あと施工アンカー  １１０…本体  １１１…拡開片  １１２…雌ねじ  １２０…コーン  １３０…取付ボルト  １４０…ワッシャー  １５０…取付物  １６０…コンクリート躯体  ２００…あと施工アンカー  ２１０…テーパーボルト  ２１１…テーパー部  ２１２…雄ねじ部  ２２０…スリーブ  ２２１…拡開片  ２３１…ワッシャー  ２３２…スプリングワッシャー  ２３３…ナット  ２４０…取付物  ２５０…コンクリート躯体
【図１】
2018080520.tif 000003
【図２】
2018080520.tif 000004
【図３】
2018080520.tif 000005
【図４】
2018080520.tif 000006
【図５】
2018080520.tif 000007
【図６】
2018080520.tif 000008
【図７】
2018080520.tif 000009
【図８】
2018080520.tif 000010